【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
椎間板修復のためのスペーサであって、
ネジを受け入れるための孔と、
アンカーを受け入れるための通路と、
を備えている、スペーサ。
【請求項２】
前記孔の中心軸を中心とする位置における前記孔の外周は、前記スペーサ内に完全に囲まれている、請求項１に記載のスペーサ。
【請求項３】
前記孔の前記中心軸は、前記スペーサの上面及び正面を貫通している、請求項２に記載のスペーサ。
【請求項４】
前記孔の前記中心軸は、前記スペーサの下面及び正面を貫通している、請求項２に記載のスペーサ。
【請求項５】
第２の孔をさらに備え、前記第２の孔は、前記スペーサ内に完全に囲まれた前記第２の孔の中心軸を中心とする位置に外周を有している、請求項３に記載のスペーサ。
【請求項６】
前記第２の孔の前記中心軸は、前記スペーサの下面及び正面を貫通している、請求項５に記載のスペーサ。
【請求項７】
前記第２の孔の前記中心軸は、前記スペーサの上面及び正面を貫通している、請求項５に記載のスペーサ。
【請求項８】
前記通路は、蟻溝長孔であり、前記スペーサの上面又は下面に沿って延在している、請求項１に記載のスペーサ。
【請求項９】
前記通路は、前記通路が延在する前記上面又は下面に向かって開いている、請求項８に記載のスペーサ。
【請求項１０】
前記通路は、前記スペーサの前面と後面との間に延び、前記前面及び前記後面の両方と交差している、請求項８に記載のスペーサ。
【請求項１１】
前記通路は、前記スペーサの前記前面と非直角をなす中心軸に沿って延在している、請求項１０に記載のスペーサ。
【請求項１２】
前記通路の中心軸を中心とする前記通路の外周は、前記通路の前記中心軸を中心とするどのような位置においても前記スペーサ内に完全に囲まれていない、請求項１に記載のスペーサ。
【請求項１３】
椎間板修復のためのキットであって、
請求項１に記載のスペーサと、
前記スペーサに取り付けるように構成された第１のプレートであって、前記第１のプレートが前記スペーサに取り付けられた時に前記孔と真っ直ぐに並ぶ孔延長部を有している、第１のプレートと、
前記スペーサに取り付けるように構成された第２のプレートであって、前記第２のプレートが前記スペーサに取り付けられた時に前記通路と真っ直ぐに並ぶ通路延長部を有している、第２のプレートと、
を備えている、キット。
【請求項１４】
前記スペーサに取り付けるように構成された第３のプレートをさらに備え、前記第３のプレートは、前記第３のプレートが前記スペーサに取り付けられた時に前記孔と真っ直ぐに並ぶ孔延長部と、前記第３のプレートが前記スペーサに取り付けられた時に前記通路と真っ直ぐに並ぶ通路延長部とを有している、請求項１３に記載のキット。
【請求項１５】
アンカーをさらに備え、前記アンカーは、前記第２のプレートが前記スペーサに取り付けられた時、前記通路及び前記通路延長部内に延出し、かつ隣接する椎骨の１つ内に延出するように構成されている、請求項１３に記載のキット。
【請求項１６】
前記アンカーは、前記スペーサに摺動可能に係合する相互接続部分と、前記相互接続部分から離間した固定部分であって、前記アンカーを隣接する椎骨に固定するようになっている固定部分と、前記固定部分を前記相互接続部分に接続する脚とを備えている、請求項１５に記載のキット。
【請求項１７】
前記第１のプレートが前記スペーサに取り付けられた時に前記孔及び前記孔延長部を通って前記隣接する椎骨の１つ内に延出するように構成されたネジをさらに備えている、請求項１３に記載のキット。
【請求項１８】
前記第１のプレートに取り付けるように構成された固定プレートをさらに備えている、請求項１３に記載のキット。
【請求項１９】
前記第１及び第３のプレートに交換可能に取り付けるように構成された固定プレートをさらに備えている、請求項１４に記載のキット。
【請求項２０】
前記固定プレートは、長孔を備え、前記長孔は、前記固定プレートが前記第１又は第３のプレートに取り付けられた時、前記第１のプレートの前記孔又は前記第３のプレートの前記孔と真っ直ぐに並ぶように構成されている、請求項１９に記載のキット。
【手続補正２】
【補正対象書類名】明細書
【補正対象項目名】００７２
【補正方法】変更
【補正の内容】
【００７２】
また、種々の従属請求項及び該従属請求項に記載される特徴は、元の請求項に提示される方法と異なる方法によって組み合されてもよいことを理解されたい。また、個々の実施形態に関連して記載される特徴は、記載された実施形態の他の特徴と共有されてもよいことを理解されたい。
なお、本願の出願当初の開示事項を維持するために、本願の出願当初の請求項１〜３４の記載内容を以下に追加する。
（請求項１）
椎間板修復のためのスペーサであって、
ネジを受け入れるための孔と、
アンカーを受け入れるための通路と、
を備えている、スペーサ。
（請求項２）
前記孔の中心軸を中心とする位置における前記孔の外周は、前記スペーサ内に完全に囲まれている、請求項１に記載のスペーサ。
（請求項３）
前記孔の前記中心軸は、前記スペーサの上面及び正面を貫通している、請求項２に記載のスペーサ。
（請求項４）
前記孔の前記中心軸は、前記スペーサの下面及び正面を貫通している、請求項２に記載のスペーサ。
（請求項５）
第２の孔をさらに備え、前記第２の孔は、前記スペーサ内に完全に囲まれた前記第２の孔の中心軸を中心とする位置に外周を有している、請求項３に記載のスペーサ。  
（請求項６）
前記第２の孔の前記中心軸は、前記スペーサの下面及び正面を貫通している、請求項５に記載のスペーサ。
（請求項７）
前記第２の孔の前記中心軸は、前記スペーサの上面及び正面を貫通している、請求項５に記載のスペーサ。
（請求項８）
第３の孔をさらに備え、前記第３の孔は、前記スペーサ内に完全に囲まれた前記第３の孔の中心軸を中心とする位置に外周を有している、請求項６に記載のスペーサ。
（請求項９）
前記第３の孔の前記中心軸は、前記スペーサの上面及び正面を貫通している、請求項８に記載のスペーサ。
（請求項１０）
前記通路は、蟻溝長孔であり、前記スペーサの上面又は下面に沿って延在している、請求項１に記載のスペーサ。
（請求項１１）
前記通路は、前記通路が延在する前記上面又は下面に向かって開いている、請求項１０に記載のスペーサ。
（請求項１２）
前記通路は、前記スペーサの前面と後面との間に延び、前記前面及び前記後面の両方と交差している、請求項１０に記載のスペーサ。
（請求項１３）
前記通路は、前記スペーサの前記前面と非直角をなす中心軸に沿って延在している、請求項１２に記載のスペーサ。
（請求項１４）
前記通路の中心軸を中心とする前記通路の外周は、前記通路の前記中心軸を中心とするどのような位置においても前記スペーサ内に完全に囲まれていない、請求項１に記載のスペーサ。
（請求項１５）
前記上面及び前記下面の一方に沿って延在する蟻溝長孔である第２の通路をさらに備えている、請求項１０に記載のスペーサ。
（請求項１６）
前記上面及び前記下面の他方に沿って延在する蟻溝長孔である第２の通路をさらに備えている、請求項１０に記載のスペーサ。
（請求項１７）
椎間板修復のためのキットであって、
請求項１に記載のスペーサと、
前記スペーサに取り付けるように構成された第１のプレートであって、前記第１のプレートが前記スペーサに取り付けられた時に前記孔と真っ直ぐに並ぶ孔延長部を有している、第１のプレートと、
前記スペーサに取り付けるように構成された第２のプレートであって、前記第２のプレートが前記スペーサに取り付けられた時に前記通路と真っ直ぐに並ぶ通路延長部を有している、第２のプレートと、
を備えている、キット。
（請求項１８）
前記スペーサに取り付けるように構成された第３のプレートをさらに備え、前記第３のプレートは、前記第３のプレートが前記スペーサに取り付けられた時に前記孔と真っ直ぐに並ぶ孔延長部と、前記第３のプレートが前記スペーサに取り付けられた時に前記通路と真っ直ぐに並ぶ通路延長部とを有している、請求項１７に記載のキット。
（請求項１９）
アンカーをさらに備え、前記アンカーは、前記第２のプレートが前記スペーサに取り付けられた時、前記通路及び前記通路延長部内に延出し、かつ隣接する椎骨の１つ内に延出するように構成されている、請求項１７に記載のキット。
（請求項２０）
前記アンカーは、前記スペーサに摺動可能に係合する相互接続部分と、前記相互接続部分から離間した固定部分であって、前記アンカーを隣接する椎骨に固定するようになっている固定部分と、前記固定部分を前記相互接続部分に接続する脚とを備えている、請求項１９に記載のキット。
（請求項２１）
前記第１のプレートが前記スペーサに取り付けられた時に前記孔及び前記孔延長部を通って前記隣接する椎骨の１つ内に延出するように構成されたネジをさらに備えている、請求項１７に記載のキット。
（請求項２２）
前記スペーサの前記通路は、４つの通路を含んでおり、前記第２のプレートの前記通路は、前記第２のプレートが前記スペーサに取り付けられた時に前記スペーサの前記４つの通路と真っ直ぐに並ぶように構成された４つの通路を含んでいる、請求項１７に記載のキット。
（請求項２３）
前記スペーサの前記孔は、２つの孔を含んでおり、前記スペーサの前記通路は、２つの通路を含んでおり、前記第３のプレートの前記孔は、２つの孔を含んでおり、前記第３のプレートの前記通路は、２つの通路を含んでおり、前記第３のプレートの前記孔及び前記通路は、前記第３のプレートが前記スペーサに取り付けられた時、それぞれ、前記スペーサの前記孔及び前記通路と真っ直ぐに並ぶように構成されている、請求項１８に記載のキット。
（請求項２４）
前記第１のプレートに取り付けるように構成された固定プレートをさらに備えている、請求項１７に記載のキット。
（請求項２５）
前記固定プレートは、長孔を備えている、請求項２４に記載のキット。
（請求項２６）
前記長孔は、前記固定プレートが前記第１のプレートに取り付けられた時に前記第１のプレートの前記孔と真っ直ぐに並ぶように構成されている、請求項２５に記載のキット。
（請求項２７）
前記第１及び第３のプレートに交換可能に取り付けるように構成された固定プレートをさらに備えている、請求項１８に記載のキット。
（請求項２８）
前記固定プレートは、長孔を備えている、請求項２７に記載のキット。
（請求項２９）
前記長孔は、前記固定プレートが前記第１又は第３のプレートに取り付けられた時、前記第１のプレートの前記孔又は前記第３のプレートの前記孔と真っ直ぐに並ぶように構成されている、請求項２８に記載のキット。
（請求項３０）
椎間板修復のためのキットであって、
請求項１に記載のスペーサと、
前記スペーサに係合するように構成された固定プレートであって、前記固定プレートの一部は、前記固定プレートが前記スペーサに係合される時に前記孔及び前記通路を覆い、これによって、ネジが前記孔から後退するのを阻止し、アンカーが前記通路から後退するのを阻止するようになっている、固定プレートと、
を備えている、キット。
（請求項３１）
前記固定プレートは、前記保持機構が圧縮することを可能にするように構成された長孔をさらに備えている、請求項３０に記載のキット。
（請求項３２）
アンカーをさらに備え、前記アンカーは、前記第２のプレートが前記スペーサに取り付けられた時、前記通路及び前記通路延長部内に延出し、かつ前記隣接する椎骨の１つ内に延出するように構成されている、請求項３０に記載のキット。
（請求項３３）
前記アンカーは、前記スペーサに摺動可能に係合する相互接続部分と、前記相互接続部分から離間した固定部分であって、前記アンカーを隣接する椎骨に固定するようになっている固定部分と、前記固定部分を前記相互接続部分に接続する脚とを備えている、請求項３２に記載のキット。
（請求項３４）
前記スペーサの前記孔を通って前記隣接する椎骨の１つ内に延出するように構成されたネジをさらに備えている、請求項３０に記載のキット。